【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
作動液が封入されたシリンダと、
該シリンダに挿入されたピストンと、
該ピストンに連結されて前記シリンダの外部へ延出されたピストロッドと、
前記シリンダの外周に設けられた外筒と、
前記シリンダと前記外筒との間に形成されて作動液及びガスが封入されたリザーバと、
前記シリンダと前記外筒との間に設けられて前記シリンダとの間に該シリンダ内と連通する通路を形成するセパレータチューブと、
前記セパレータチューブの側壁に形成されるセパレータチューブ開口と、
該セパレータチューブ開口に対向して前記外筒の側壁に設けられた開口と、
前記外筒の側壁に取付けられて内部が前記開口を介して前記リザーバに連通するケースと、
前記ケース内に収容されて前記セパレータチューブ開口に接続し、前記作動液の流れを制御して減衰力を発生する減衰力発生機構と、を備えており、
前記ケースの底部には、前記外筒の開口に接続する開口部が形成されており、
前記底部の内側には、ケース内の上部の内周面付近から前記開口部まで延びる少なくとも１つの通路溝が形成されており、
前記ケースの内部から前記リザーバへ流れる作動液は、前記通路溝に沿って前記ケースの上部から前記開口部に向けて整流され、前記リザーバの軸方向の下方へ向けられて前記リザーバ内へ流れることを特徴とする緩衝器。
【請求項２】
前記通路溝は、前記ケースの前記底部に一体に形成されていることを特徴とする請求項１に記載の緩衝器。
【請求項３】
前記通路溝に沿った作動液の流れは、前記作動液の前記リザーバの軸方向の上方への流れを制限することを特徴とする請求項１に記載の緩衝器。
【請求項４】
作動液が封入されたシリンダと、
該シリンダに挿入されたピストンと、
該ピストンに連結されて前記シリンダの外部へ延出されたピストロッドと、
前記シリンダの外周に設けられた外筒と、
前記シリンダと前記外筒との間に形成されて作動液及びガスが封入されたリザーバと、
前記シリンダと前記外筒との間に設けられて、前記シリンダとの間に該シリンダ内と連通する通路を形成するセパレータチューブ、
前記セパレータチューブの側壁に形成されるセパレータチューブ開口と、
該セパレータチューブ開口に対向して前記外筒の側壁に設けられた開口と、
前記外筒の側壁に取付けられて、内部が前記外筒の前記開口を介して前記リザーバに連通するケースと、
前記ケース内に収容されて前記セパレータチューブ開口に接続し、前記作動液の流れを制御して減衰力を発生する減衰力発生機構と、を備えており、
前記ケースには、前記セパレータチューブ開口と前記減衰力発生機構とを接続する通路部材が設けられ、該通路部材と前記外筒の前記開口との間に前記ケース内の室と前記リザーバとを連通する第１の流路が形成されており、
前記ケースの前記通路部材を前記外筒の前記開口に対して上方にオフセットして取付け、前記外筒の前記開口と前記通路部材の上側との間に形成される前記第１の流路の上側の流路面積よりも、前記外筒の前記開口と前記通路部材の下側との間に形成される前記第１の流路の下側の流路面積が大きくなっていることを特徴とする緩衝器。
【請求項５】
前記通路部材は、前記ケース内の底部と前記減衰力発生機構との間に挟持されて固定されるフランジ部を備えており、
前記ケース内の前記底部には、放射状に等配された溝が形成されており、
該溝は、前記フランジ部との間に、前記ケース内の室と前記リザーバとを前記第１の流路を通って連通させる第２の流路を形成していることを特徴とする請求項４に記載の緩衝器。
【請求項６】
前記少なくとも１つの通路溝は、その上部が二股で、前記開口部に連通する下部に向かってすぼまるＶ字状に形成されていることを特徴とする請求項１に記載の緩衝器。
【請求項７】
前記少なくとも１つの通路溝は、前記Ｖ字状の通路溝に加え、その下部が二股で、前記開口部に連通する上部に向かってすぼまる逆Ｖ字状に形成されている他の通路溝も有することを特徴とする請求項６に記載の緩衝器。
【請求項８】
前記ケースは、筒状ボディと該筒状ボディの一端側に同一部材で形成された前記底部から形成されていることを特徴とする請求項１に記載の緩衝器。
【請求項９】
前記ケースは、筒状ボディと該筒状ボディとは別体の底部プレートとで形成されており、
該底部プレートは、前記筒状ボディに形成された内側フランジ部に当接して固定されていることを特徴とする請求項１に記載の緩衝器。
【請求項１０】
前記ケースには、前記セパレータチューブ開口と前記減衰力発生機構とを接続する通路部材が設けられ、
該通路部材と前記外筒の前記開口との間および該通路部材と前記開口部との間を通して前記ケース内の室と前記リザーバとが連通されることを特徴とする請求項１に記載の緩衝器。
【手続補正２】
【補正対象書類名】明細書
【補正対象項目名】０００７
【補正方法】変更
【補正の内容】
【０００７】
上記の課題を解決するために、本発明に係る緩衝器は、作動液が封入されたシリンダと、
該シリンダに挿入されたピストンと、
該ピストンに連結されて前記シリンダの外部へ延出されたピストロッドと、
前記シリンダの外周に設けられた外筒と、
前記シリンダと前記外筒との間に形成されて作動液及びガスが封入されたリザーバと、
前記シリンダと前記外筒との間に設けられて前記シリンダとの間に該シリンダ内と連通する通路を形成するセパレータチューブと、
前記セパレータチューブの側壁に形成されるセパレータチューブ開口と、
該セパレータチューブ開口に対向して前記外筒の側壁に設けられた開口と、
前記外筒の側壁に取付けられて内部が前記開口を介して前記リザーバに連通するケースと、
前記ケース内に収容されて前記セパレータチューブ開口に接続し、前記作動液の流れを制御して減衰力を発生する減衰力発生機構と、を備えており、
前記ケースの底部には、前記外筒の開口に接続する開口部が形成されており、
前記底部の内側には、ケース内の上部の内周面付近から前記開口部まで延びる少なくとも１つの通路溝が形成されており、
前記ケースの内部から前記リザーバへ流れる作動液は、前記通路溝に沿って前記ケースの上部から前記開口部に向けて整流され、前記リザーバの軸方向の下方へ向けられて前記リザーバ内へ流れることを特徴とする。
また、作動液が封入されたシリンダと、
該シリンダに挿入されたピストンと、
該ピストンに連結されて前記シリンダの外部へ延出されたピストロッドと、
前記シリンダの外周に設けられた外筒と、
前記シリンダと前記外筒との間に形成されて作動液及びガスが封入されたリザーバと、
前記シリンダと前記外筒との間に設けられて、前記シリンダとの間に該シリンダ内と連通する通路を形成するセパレータチューブ、
前記セパレータチューブの側壁に形成されるセパレータチューブ開口と、
該セパレータチューブ開口に対向して前記外筒の側壁に設けられた開口と、
前記外筒の側壁に取付けられて、内部が前記外筒の前記開口を介して前記リザーバに連通するケースと、
前記ケース内に収容されて前記セパレータチューブ開口に接続し、前記作動液の流れを制御して減衰力を発生する減衰力発生機構と、を備えており、
前記ケースには、前記セパレータチューブ開口と前記減衰力発生機構とを接続する通路部材が設けられ、該通路部材と前記外筒の前記開口との間に前記ケース内の室と前記リザーバとを連通する第１の流路が形成されており、
前記ケースの前記通路部材を前記外筒の前記開口に対して上方にオフセットして取付け、前記外筒の前記開口と前記通路部材の上側との間に形成される前記第１の流路の上側の流路面積よりも、前記外筒の前記開口と前記通路部材の下側との間に形成される前記第１の流路の下側の流路面積が大きくなっていることを特徴とする。